(57)【要約】 【課題】  大型の植栽であっても動物が逃げるのを懸念することなくその搬出入を迅速に行う。【解決手段】本発明に係る動物飼育施設１は、飼育領域２の周縁に沿って８本の支柱３ａ〜３ｈを立設し、該支柱間に防護体４ａ〜４ｇをそれぞれ架け渡してある。支柱３ｂは、鋼製の中空パイプで構成してあるとともに、該中空パイプ内には、回動軸としての巻取りシャフト１１を設置してあり、該巻取りシャフトは、支柱３ｂの材軸廻りに回動自在となるように構成してある。巻取りシャフト１１には仕切りシート１２の基端縁部を固定してあり、鉛直軸線廻りの回動によって該仕切りシートをその周面に巻き取ることができるようになっている。仕切りシート１２は、支柱３ｂから引き出して展開し、その先端縁部を支柱３ｅ又は支柱３ｆに仮止めすることにより、飼育領域２を仕切ることができるようになっている。【選択図】  図１
2010068742.tif 000002
【特許請求の範囲】
【請求項１】
飼育領域の周縁に沿って複数の支柱を立設し、該支柱のうち、隣り合う２本の支柱に防護体を架け渡して前記飼育領域を取り囲んだ動物飼育施設において、
前記支柱のうち、少なくともいずれかに軸線廻りに回動自在な回動軸を設置し、前記飼育領域を仕切る仕切りシートを前記回動軸に巻取り自在に構成するとともに該仕切りシートの先端縁部を前記支柱に仮止めできるように構成したことを特徴とする動物飼育施設。
【請求項２】
飼育領域の周縁に沿って複数の支柱を立設し、該支柱のうち、隣り合う２本の支柱に防護体を架け渡して前記飼育領域を取り囲んだ動物飼育施設において、
前記飼育領域に柱体を立設するとともに該柱体に軸線廻りに回動自在な回動軸を複数設置し、前記飼育領域を仕切る複数の仕切りシートを前記回動軸にそれぞれ巻取り自在に構成するとともに、前記各仕切りシートの先端縁部を、前記支柱のうち、互いに異なる複数の支柱にそれぞれ仮止めできるように構成したことを特徴とする動物飼育施設。
【請求項３】
前記仕切りシートの先端縁部を前記支柱に磁着自在に構成した請求項１又は請求項２記載の動物飼育施設。
【請求項４】
前記防護体を、前記支柱のうち、隣り合う２本の支柱にそれぞれ取り付けられた２枚の防護シートで構成するとともに、該２枚の防護シートの隣接縁部を相互に接合自在に構成した請求項１又は請求項２記載の動物飼育施設。
【請求項５】
前記防護体を前記支柱に対して着脱自在又は開閉自在に構成した請求項１又は請求項２記載の動物飼育施設。
【発明の詳細な説明】
【技術分野】
【０００１】
本発明は、主としてアニマルセラピーに用いる動物を飼育するための動物飼育施設に関する。
【背景技術】
【０００２】
動物園では、ケージやフェンスといった囲いの中でさまざまな動物が飼育されているが、最近では、動物の自然な生態や行動が直接観察できるように工夫を凝らした施設も登場しており、訪れる人々の心を和ませている。
【０００３】
このような状況下、アニマルセラピーとも呼ばれる動物介在療法が心理的あるいは肉体的リハビリ療法として広く採用されるようになってきた。
【０００４】
アニマルセラピーは、動物のもつ癒し効果を期待した療法であって、人を癒す動物としては、犬、猫、馬、イルカ等がよく知られており、住宅内で犬や猫と一緒に生活をしたり、乗馬をしたり、イルカとともに泳ぐことで、一定の医療効果が認めらている。
【０００５】
【特許文献１】特開２００４−２１８３６０号公報
【特許文献２】特開２００２−３８７３０号公報
【特許文献３】実用新案登録第３０２６９６９号公報
【発明の開示】
【発明が解決しようとする課題】
【０００６】
最近では、愛らしい仕草や行動で人の心を和ませてくれるリスを老人施設、障害者施設、病院等でアニマルセラピーに利用できないか検討されるようになってきた。特に、在来種であるニホンリスと競合するおそれがあるタイワンリスをアニマルセラピーに利用できれば、在来種の保護と野生化によるタイワンリスの被害抑制が可能となり、ひいてはタイワンリスが害獣となるのを防止することもできる。
【０００７】
リスをアニマルセラピーに利用するには、動物園と同様、囲いの内側でリスを飼育しつつ、その生態や行動を観察可能でリスに触れることが可能な観察エリアを囲いの内側に設けるようにすればよい。
【０００８】
しかしながら、樹上生活をするタイワンリスの場合、大型の植栽が必要になるところ、そのメンテナンスのための搬出入を行うときにタイワンリスが囲いの外に逃げてしまうという問題を生じていた。
【課題を解決するための手段】
【０００９】
本発明は、上述した事情を考慮してなされたもので、大型の植栽をメンテナンスする際であっても動物が逃げるのを懸念することなくその搬出入を迅速に行うことが可能な動物飼育施設を提供することを目的とする。
【００１０】
上記目的を達成するため、本発明に係る動物飼育施設は請求項１に記載したように、飼育領域の周縁に沿って複数の支柱を立設し、該支柱のうち、隣り合う２本の支柱に防護体を架け渡して前記飼育領域を取り囲んだ動物飼育施設において、
【００１１】
前記支柱のうち、少なくともいずれかに軸線廻りに回動自在な回動軸を設置し、前記飼育領域を仕切る仕切りシートを前記回動軸に巻取り自在に構成するとともに該仕切りシートの先端縁部を前記支柱に仮止めできるように構成したものである。
【００１２】
また、本発明に係る動物飼育施設は請求項２に記載したように、飼育領域の周縁に沿って複数の支柱を立設し、該支柱のうち、隣り合う２本の支柱に防護体を架け渡して前記飼育領域を取り囲んだ動物飼育施設において、
【００１３】
前記飼育領域に柱体を立設するとともに該柱体に軸線廻りに回動自在な回動軸を複数設置し、前記飼育領域を仕切る複数の仕切りシートを前記回動軸にそれぞれ巻取り自在に構成するとともに、前記各仕切りシートの先端縁部を、前記支柱のうち、互いに異なる複数の支柱にそれぞれ仮止めできるように構成したものである。
【００１４】
また、本発明に係る動物飼育施設は、前記仕切りシートの先端縁部を前記支柱に磁着自在に構成したものである。
【００１５】
また、本発明に係る動物飼育施設は、前記防護体を、前記支柱のうち、隣り合う２本の支柱にそれぞれ取り付けられた２枚の防護シートで構成するとともに、該２枚の防護シートの隣接縁部を相互に接合自在に構成したものである。
【００１６】
また、本発明に係る動物飼育施設は、前記防護体を前記支柱に対して着脱自在又は開閉自在に構成したものである。
【００１７】
本発明に係る動物飼育施設においては、飼育領域を仕切る仕切りシートを、支柱又は柱体に設置された回動軸に巻取り自在に構成してあるとともに、該仕切りシートの先端縁部を支柱に仮止めできるように構成してあり、通常時においては、回動軸を回動させることで該回動軸に仕切りシートを巻き取る。
【００１８】
このようにすると、仕切りシートは、回動軸に巻き取られた状態で保管される。
【００１９】
一方、飼育領域においてメンテナンスが必要なときには、給餌等の方法で動物を飼育領域の特定箇所に集めるとともに、仕切りシートを回動軸から巻き出して展開し、次いで、その先端縁部を所定の支柱に仮止めする。
【００２０】
ここで、仕切りシートが支柱に設置された回動軸に巻き取られている場合には、仕切りシートを巻き出して展開し、その先端縁部を別の支柱に仮止めするだけで足りるが、柱体に設置された回動軸に巻き取られている場合には、複数の仕切りシートをそれぞれの回動軸から別々に巻き出して展開し、それらの仕切りシートの先端縁部を、相異なる支柱にそれぞれ仮止めする。
【００２１】
このようにすると、飼育領域は、展開された仕切りシートにより、動物が集められた隔離領域とそれ以外の非隔離領域とに仕切られる。
【００２２】
そのため、非隔離領域を外部に解放したとしても、隔離領域は、防護体及び仕切りシートで囲まれているので、動物が逃げ出す懸念はなく、かくして非隔離領域と外部との行き来を伴うメンテナンス作業を効率よく行うことが可能となる。
【００２３】
飼育領域で飼育される動物としては、動きが俊敏なリス等の小動物が適しているが、仕切りシートで仕切る必要性がある動物であれば、その種類は問わない。
【００２４】
第１の発明における支柱や第２の発明における柱体は、例えば中空パイプで構成することが可能である。かかる場合においては、回動軸は、支柱や柱体を構成する中空パイプ内に設置され、仕切りシートは、このような回動軸に巻き取られた状態で中空パイプ内に収納される。なお、第１の発明においては、全ての支柱に回動軸を設置する必要はなく、少なくとも一つの支柱に回動軸が設置すれば足りる。
【００２５】
回動軸は、支柱や柱体の材軸廻りに回動自在となるように構成し、支柱が鉛直に立設されている場合には、鉛直軸線廻りに回動自在となるよう構成する。かかる回動軸は、巻出し及び巻取りの操作を手動で行うようにしてもよいし、回動軸を巻取り方向に付勢するバネを内蔵しておき、仕切りシートの先端縁部を手でもって引き出すことで該仕切りシートを回動軸から巻き出すとともに、仕切りシートの先端縁部から手を離すことで、該仕切りシートをバネの復元力で回動軸に巻き取るように構成してもよい。
【００２６】
仕切りシートの先端縁部を支柱に仮止めするための構成については任意であって、例えば先端縁部にフックを設けるとともに該フックが掛けられる係止部を支柱に設ける構成とすることができるが、仕切りシートの先端縁部にマグネットを取り付けておき、該マグネットを鋼製パイプで構成された支柱の周面に磁着するように構成するようにすれば、仕切りシートの展開や撤収を容易に行うことができる。
【００２７】
なお、防護体や仕切りシートを構成する材質については、金網等の網目状シートで構成することができるほか、仕切りシートについては、飼育動物を監視しやすい透明シートで構成することも可能である。
【００２８】
仕切りシートの展開によって飼育領域を隔離領域と非隔離領域に仕切った後、非隔離領域のメンテナンスを行うにあたっては、動物飼育施設に設けられた常設の出入り口を用いるようにしてもよいが、防護体を２枚の防護シートで構成してそれらの隣接縁部を相互に接合自在に構成し、又は防護体を支柱に対して着脱自在又は開閉自在に構成することにより、メンテナンス用の出入り口を一時的に形成するようにしてもよい。
【００２９】
かかる構成によれば、非隔離領域と外部との動線が短縮されるので、植栽の搬出入その他のメンテナンスがさらに行いやすくなる。
【発明を実施するための最良の形態】
【００３０】
以下、本発明に係る動物飼育施設の実施の形態について、添付図面を参照して説明する。なお、従来技術と実質的に同一の部品等については同一の符号を付してその説明を省略する。
【００３１】
図１は、本実施形態に係る動物飼育施設を示した図である。同図でわかるように、本実施形態に係る動物飼育施設１は、飼育領域２の周縁に沿って８本の支柱３ａ〜３ｈを立設し、該支柱のうち、隣り合う２本の支柱に防護体４ａ〜４ｇをそれぞれ架け渡すことで、飼育領域２を取り囲むように構成してあるとともに、出入り口５を介して外部から飼育領域２に出入りすることができるようになっている。
【００３２】
飼育領域２で飼育されるタイワンリスは、シマリスなどよりも体がひと回り大きく、樹上生活を行う、樹皮を食べるために樹木が荒れるという特徴があり、かかる点を踏まえて、飼育領域２には、常緑樹からなる大型の樹木６をコンテナ７に植樹した形態で設置するとともに、樹木６をコンテナ７ごと随時交換できるように構成してある。
【００３３】
樹木６が植樹されたコンテナ７の近傍には給餌用テーブル８を配置してあり、該給餌用テーブルにドングリなどの木の実を並べることができるようになっている。
【００３４】
給餌用テーブル８は、樹木６から降りてきたタイワンリスが飛び移りやすいように、かつ木の実を食べている様子を観察しやすいように、一部が樹木６の近傍に延び、他の一部が観察エリア９に延びている。
【００３５】
支柱３ａ〜３ｈのうち、支柱３ｂは、鋼製の中空パイプで構成してあるとともに、該中空パイプ内には、図２に示すように回動軸としての巻取りシャフト１１を設置してあり、該巻取りシャフトは、支柱３ｂの材軸廻り、すなわち鉛直軸線廻りに回動自在となるように構成してある。
【００３６】
巻取りシャフト１１には仕切りシート１２の基端縁部を固定してあり、鉛直軸線廻りの回動によって該仕切りシートをその周面に巻き取ることができるようになっているとともに、巻取りシャフト１１を巻取り方向に付勢するバネ（図示せず）を設けてあり、仕切りシート１２の先端縁部を手で持って引き出すことで、該仕切りシートを巻取りシャフト１１から巻き出すとともに、仕切りシート１２の先端縁部から手を離し又は緩めることで、該仕切りシートをバネの復元力で巻取りシャフト１１に巻き取ることができるようになっている。
【００３７】
仕切りシート１２は、支柱３ｂから引き出して展開し、その先端縁部を支柱３ｅ又は支柱３ｆに仮止めすることにより、飼育領域２を仕切ることができるようになっている。ここで、仕切りシート１２の先端縁部にはマグネット１３を取り付けてあり、支柱３ｅ又は支柱３ｆに磁着することで仮止めできるようになっている。
【００３８】
仕切りシート１２は、樹木６のメンテナンスを行う際にタイワンリスを監視しやすくするため、透明の樹脂シートで形成するのが望ましい。
【００３９】
防護体４ａ〜４ｇは、公知の飼育用フェンスから適宜選択することが可能であり、例えば網目状の鋼製パネルで構成することができる。ここで、防護体４ａは、支柱３ａ，３ｂの間に架け渡され、該支柱に両縁をそれぞれ固定してある。同様に、防護体４ｂは支柱３ｂ，３ｃに、防護体４ｃは支柱３ｄ，３ｅに、防護体４ｄは支柱３ｅ，３ｆに、防護体４ｅは支柱３ｆ，３ｇに、防護体４ｆは支柱３ｇ，３ｈにそれぞれ両縁を固定してある。
【００４０】
一方、防護体４ｇは、支柱３ｈ，３ａに着脱自在にその両縁を取り付けてあり、必要に応じて支柱３ｈ，３ａから随時取り外すことができるようになっている。
【００４１】
本実施形態に係る動物飼育施設１においては、通常時、巻取りシャフト１１に仕切りシート１２を巻き取っておく。かかる状態では、飼育領域２は、仕切りシート１２で仕切られていないので、普段はこの広いスペースを使ってタイワンリスを飼育する。なお、出入り口５は、二重扉になっているので、ここからタイワンリスが逃げる懸念はない。
【００４２】
タイワンリスの行動や餌を食べる様子を間近で見たいときには、給餌用テーブル８にドングリ等の木の実を並べ、観察エリア９で待機する。
【００４３】
このようにすると、タイワンリスは、樹木６から降りてきて給餌用テーブル８に飛び移り、該テーブルに並べられた木の実を食べるので、これを観察エリア９で観察することができる。
【００４４】
一方、樹木６をメンテナンスしたいとき、例えば樹木６をコンテナ７ごと、別の樹木に交換したいときには、まず、餌等を用いてタイワンリスを図３(a)に示すように右側に移動させ、ゾーン３１に集める。
【００４５】
次に、仕切りシート１２を支柱３ｂから引き出して展開し、その先端縁部を図３(b)に示すように支柱３ｆに仮止めする。
【００４６】
このようにすると、飼育領域２は、タイワンリスが集められたゾーン３１を含む隔離領域３２とそれ以外の非隔離領域３３とに仕切られる。
【００４７】
次に、防護体４ｇを取り外し、次いで樹木６をコンテナ７ごと、例えばフォークリフトを使って非隔離領域３３から搬出する。
【００４８】
次に、新しい樹木をやはりコンテナごとフォークリフトで非隔離領域３３に搬入し、搬入作業終了後、防護体４ｇを元通り、支柱３ｈ，３ａに取り付ける。
【００４９】
かかる搬出入作業中においては、隔離領域３２は、防護体４ｂ〜４ｄ及び仕切りシート１２によって周囲を囲まれているため、該隔離領域にいるタイワンリスが逃げるおそれはない。
【００５０】
最後に、仕切りシート１２の先端縁部を支柱３ｆから取り外し、次いで、巻取りシャフト１１に取り付けられたバネの復元力で仕切りシート１２を支柱３ｂに引き込み、巻取りシャフト１１で巻き取る。
【００５１】
以上説明したように、本実施形態に係る動物飼育施設１によれば、仕切りシート１２を支柱３ｂから引き出して展開し、その先端縁部を支柱３ｆに仮止めすることで、飼育領域２を、タイワンリスが集められたゾーン３１を含む隔離領域３２とそれ以外の非隔離領域３３とに仕切るとともに、防護体４ｇを着脱自在に構成したので、タイワンリスが逃げるのを懸念することなく、非隔離領域３３に設置された樹木６を該非隔離領域から搬出しあるいは代わりの樹木を搬入することが可能になる。
【００５２】
また、従来であれば、タイワンリスが逃げるのを懸念しながらのメンテナンスとなるため、大型の植栽を交換することは難しかったが、本実施形態に係る動物飼育施設１によれば、タイワンリスを隔離領域３２に隔離しておくことができるため、リフト、クレーンなどを使った大型植栽の搬出入が可能となる。
【００５３】
本実施形態では、仕切りシート１２の先端縁部を支柱３ｆに仮止めするようにしたが、これに代えて、他の支柱、例えば支柱３ｅに仮止めするようにしてもかまわない。
【００５４】
また、本実施形態では、防護体４ｇを網目状の鋼製パネルで構成するとともに、支柱３ｈ，３ａに対して着脱自在に構成したが、一時的に外部から非隔離領域３３にアクセスできるのであれば、かかる構成に限定されるものではない。例えば、網目状の鋼製パネルの一方の縁部を支柱３ａにヒンジ接合することで、開き戸のごとく、該支柱廻りに回動自在に構成してもかまわない。
【００５５】
さらに、防護体４ｇに代えて、図４に示すように支柱３ｈ，３ａにそれぞれ取り付けられた２枚の防護シート４１，４１を採用するとともに、該２枚の防護シートの隣接縁部４２，４２を例えばファスナー構造によって相互に接合自在に構成してもよい。
【００５６】
また、本実施形態では、巻取りシャフト１１を支柱３ｂに設置するようにしたが、これに代えて図５に示すように、飼育領域２に立設された柱体５１の中空空間に２本の巻取りシャフト１１，１１を設置し、該巻取りシャフトで２枚の仕切りシート１２，１２をそれぞれ巻き取るようにしてもよい。なお、かかる変形例においては、支柱３ｂは、鋼製の円形パイプからなる通常の支柱３ｉで足りる。
【００５７】
かかる構成においては、仕切りシート１２，１２をそれぞれ柱体５１から引き出して展開し、各先端縁部を支柱３ｉ，３ｆに仮止めする。
【００５８】
このようにすれば、上述した実施形態とほぼ同様の作用効果を奏するほか、支柱間のスパンが大きい場合にも適応することが可能となる。
【図面の簡単な説明】
【００５９】
【図１】本実施形態に係る動物飼育施設１を示した図であり、(a)は平面図、(b)はＡ−Ａ線に沿う鉛直断面図。
【図２】巻取りシャフト１１を示した図であり、(a)は水平断面図、(b)は斜視図。
【図３】動物飼育施設１で樹木６を交換する手順を示した平面図。
【図４】防護体の変形例を示した図。
【図５】変形例に係る動物飼育施設を示した図であり、(a)は全体平面図、(b)は巻取りシャフト１１の周辺を示した詳細平面図。
【符号の説明】
【００６０】
１                            動物飼育施設
２                            飼育領域
３ａ〜３ｉ                    支柱
４ａ〜４ｇ                    防護体
１１                          巻取りシャフト（回動軸）
１２                          仕切りシート
３２                          隔離領域
３３                          非隔離領域
４４                          防護シート
５１                          柱体
【図１】
2010068742.tif 000003
【図２】
2010068742.tif 000004
【図３】
2010068742.tif 000005
【図４】
2010068742.tif 000006
【図５】
2010068742.tif 000007